(57)【要約】      （修正有）【課題】浴室床パネルに対する滑りにくさ、清掃性を重視しながら、乾燥性能を向上させた浴室床パネルを提供する。【解決手段】 樹脂製の浴室床パネルであって、浴室床パネルの表面は、脱衣場より第一歩を踏み込む部位の略三角面状のＡ面とこれを挟む二つのＢ面とからなる床パネル面であって、排出口に向けてＡ、Ｂ面が勾配をもって形成され、Ａ面、Ｂ面及びこの両面の境に排出口に向けて目地溝を形成し、Ａ面及びＢ面に排出口に向かってほぼ同一のピッチをもって湾曲状のエッジ溝を形成し、エッジ溝に挟まれた単位面が、Ａ、Ｂ面より大きい勾配をもって形成されている。【選択図】図１
2006336423.tif 000002
【特許請求の範囲】
【請求項１】
ユニットバスの一部として組み込まれる樹脂製の浴室床パネルであって、前記浴室床パネルの表面は、脱衣場より第一歩を踏み込む部位の略三角面状のＡ面とこれを挟む二つのＢ面とからなる床パネル面であって、排出口に向けてＡ、Ｂ面が勾配（傾斜角ａ、ｂ）をもって形成され、Ａ面、Ｂ面及びこの両面の境に排出口に向けて目地溝を形成し、Ａ面及びＢ面に排出口に向かってほぼ同一のピッチをもって湾曲状のエッジ溝を形成し、エッジ溝に挟まれた単位面Ａ０ 及び単位面Ｂ０ が、Ａ、Ｂ面より大きい勾配（傾斜角ａ０ 、ｂ０ ）をもって形成されたことを特徴とする浴室床パネル。
【請求項２】
エッジ溝に挟まれた単位面Ａ０ 及び単位面Ｂ０ の幅が、１５〜２５ｍｍである請求項１記載の浴室床パネル。
【請求項３】
エッジ溝は排水口側の背丈が高く、反対側の背丈が低く構成された請求項１又は２記載の浴室床パネル。
【請求項４】
単位面Ａ０ 及び単位面Ｂ０ が、エッジ溝の谷部又はその中間とエッジ溝の山部を結ぶ傾斜面である請求項１乃至３いずれか記載の浴室床パネル。
【請求項５】
傾斜角ａが、１．１〜１．７度である請求項１記載の浴室床パネル。
【請求項６】
傾斜角ｂが、１．６〜２．２度である請求項１記載の浴室床パネル。
【請求項７】
傾斜角ａ０ が、１．３〜２．８度である請求項１記載の浴室床パネル。
【請求項８】
傾斜角ｂ０ が、１．９〜３．５度である請求項１記載の浴室床パネル。
【請求項９】
傾斜角ａ＜傾斜角ａ０ である請求項１記載の浴室床パネル。
【請求項１０】
傾斜角ｂ＜傾斜角ｂ０ である請求項１記載の浴室床パネル。
【請求項１１】
傾斜角ａ≦傾斜角ｂである請求項１記載の浴室床パネル。
【請求項１２】
傾斜角ａ０ ≦傾斜角ｂ０ である請求項１記載の浴室床パネル。
【請求項１３】
目地溝が略逆台形状の断面である請求項１記載の浴室床パネル。
【発明の詳細な説明】
【技術分野】
【０００１】
本発明は主としてユニットバスに用いられる樹脂製の浴室床パネルに関する。
【背景技術】
【０００２】
近年の住宅等の浴室はユニットバスが主流になっており、ＦＲＰ等の材質からなる防水床パネルを用いることにより防水工事を施す必要がないことがその一つの理由である。勿論、工場生産によりそのまま完成品が得られることも魅力の一つである。
【０００３】
又、浴室床パネルは使用者が脚を滑らせて転倒することを極力防ぐために、石鹸水等が湯水に混じった場合でも滑りにくいようにノンスリップ仕様にしている。更に、浴室床パネル表面には岩肌模様や石目模様を採用し、意匠性を向上させている。かかる浴室床パネルの例として特許文献１が挙げられる。
【０００４】
【特許文献１】特開平６−９３７４５号公報
【０００５】
しかしながら、この浴室床パネルは滑りにくいため使用感がよいが、排水性に問題が残る。即ち、浴室床パネル面に島状に排水が残ってしまい、これが乾きにくく、長時間に渡って浴室床パネル面に残ってしまう。このため、バスル−ムの乾燥機を使用する際や、浴槽等を清掃する際には、靴下やスリッパ等をぬらしてしまうことになる。
【０００６】
これに対し、ユニットバスの洗い場部の滑り止め効果を損うことなく、翌日には洗い場部に残水がない浴室床パネルを提供するものとして、例えば特許文献２がある。
【０００７】
【特許文献２】特開２００２−２４２４１０号公報
【０００８】
これによって提案された内容は、浴室床パネルの表面に、滑り止め用の凸部と、これら凸部の間に流れ込んだ水を途切れさせずに一時捕水出来る状態に形成された流路とを備え、凸部上の水は、前記流路内に一時捕水されている水と接触することで前記流路から排水口又は排水流し溝に連続した状態で排水される構成としたものである。
【０００９】
しかるに、浴室床パネルの表面に形成される滑り止め用の凸部と流路との関係が難しく、特に、流路を凸部の間に流れ込んだ水を途切れさせずに捕水出来るように形成するのが容易ではない。
【発明の開示】
【発明が解決しようとする課題】
【００１０】
本発明は、浴室床パネルに対する特定の機能偏重や装飾過剰を避け、基本的な「滑りにくさ」「清掃性」を重視しながら、乾燥性能を向上させた浴室床パネルを提供することを目的としたものである。
【課題を解決するための手段】
【００１１】
本発明の要旨は、ユニットバスの一部として組み込まれる樹脂製の浴室床パネルであって、前記浴室床パネルの表面は、脱衣場より第一歩を踏み込む部位の略三角面状のＡ面とこれを挟む二つのＢ面とからなる床パネル面であって、排出口に向けてＡ、Ｂ面が勾配（傾斜角ａ、ｂ）をもって形成され、Ａ面、Ｂ面及びこの両面の境に排出口に向けて目地溝を形成し、Ａ面及びＢ面に排出口に向かってほぼ同一のピッチをもって湾曲状のエッジ溝を形成し、エッジ溝に挟まれた単位面Ａ０ 及び単位面Ｂ０ が、Ａ、Ｂ面より大きい勾配（傾斜角ａ０ 、ｂ０ ）をもって形成された浴室用床パネルである。
【発明の効果】
【００１２】
本発明は以上の通りであり、特定の機能偏重や装飾過剰を避け、基本的な「滑りにくさ」、「清掃性」、「乾燥性」を向上させたものであり、構成が簡単であるにもかかわらずその効果は大きいものである。
【発明を実施するための最良の形態】
【００１３】
本発明において、好ましくは、浴室床パネルのＡ面の傾斜角ａが１．１〜１．７度、単位面Ａ０ の傾斜角ａ０ が１．３〜３．０度、傾斜角ａ＜傾斜角ａ０ 、Ｂ面の傾斜角ｂが１．６〜２．２度、単位面Ｂ０ の傾斜角ｂ０ が１．９〜３．５度程度で、傾斜角ｂ＜傾斜角ｂ０ とすることにより「清掃性」が増し、エッジ溝に挟まれた単位面Ａ０ 及び単位面Ｂ０ の幅を１５〜２５ｍｍとすれば、その「清掃性」が確保可能となったものである。尚、各面の傾斜については、傾斜角ａ≦傾斜角ｂ、傾斜角ａ０ ≦傾斜角ｂ０ が一般的である。
【００１４】
更に、エッジ溝を排水口側の急傾斜面と反対側の緩傾斜面で構成され、更に具体的には、少なくとも単位面Ａ０ を、エッジ溝の谷部又はその中間とエッジ溝の山部を結ぶ傾斜面とすることにより、「滑りにくさ」、「清掃性」が確保できることとなったものである。尚、本発明で言う床面の傾斜角とは、排出口に向かって下り勾配を表す角度である。
【００１５】
「清掃性」
エッジ溝に挟まれた単位面Ａ０ は、床パネル全体としての勾配よりもやや大きい勾配となっているので、この面上での水残りが少なく、滞留した水の乾燥による皮脂や石けん等泡等の堆積が少ないため、汚れにくいこととなった。そして、エッジ溝（段差部分）が汚れても、清掃しやすい形状になっていることと、格子状に交差していないため、スポンジの往復運動で目地の汚れを落とすことができるという特徴がある。
【００１６】
「滑りにくさ」
特に、脱衣室から浴室へ入る際の滑りに配慮したものであり、脱衣室から、濡れて勾配がある浴室床パネルへの環境変化による滑りを考慮し、浴室への一歩目で滑りにくい床パタ−ン形状を採用したものである。即ち、Ａ面におけるパタ−ンのエッジ効果で、滑りにくさを出したものであり、エッジ溝に挟まれた単位面Ａ０ を若干ではあるが急勾配とすることで、フラット面の水残りを軽減し、好ましくは、この面を石肌調とすることによって更に滑りやすさを改善したものである。
【００１７】
「乾燥性」
浴室床パネル面と単位面の傾斜面（ａ、ａ０ ：ｂ、ｂ０ ）を特定することにより、単位面Ａ０ の水残りが少なくなり、大きな面積での水残りがなくなるものである。勿論、浴室及び洗い場の表面の状況により異なるが、従来のパタ−ンと比べて乾燥性もよくなっている。
【実施例】
【００１８】
以下、本発明を図面をもって更に詳細に説明する。図１は本発明の浴室床パネルの平面図である。図中、１は浴室床パネル、２は浴槽、３は排出口である。浴室床パネル１にあっては、脱衣場から浴室内へ踏み込む第一歩の床面をＡとし、排出口３に向かって略三角面状をなしている。そして、これを挟んで二つの対照的な床面Ｂをなしている。かかる各床面Ａ、Ｂ及び両面の境界には排出口２に向けて目地溝４を形成したものである。又、各床面Ａ、Ｂには、排出口３に向かって湾曲する多数のエッジ溝５を形成したものである。尚、隣り合うエッジ溝５、５に挟まれた床面を夫々単位面Ａ０ 、Ｂ０ とする。
【００１９】
図２は本発明の床パネル１の床面ＡのＡ−Ａ線拡大断面図、図３はＢ−Ｂ線拡大断面図である。即ち、床面Ａは排出口３に向かって下り勾配（傾斜角ａ）をなしており、この例では１．４１度である。一方、床単位面Ａ０ の下り勾配（傾斜角ａ０ ）はこれよりもやや大きな傾斜角度を有しており、この例では１．８度であった。
【００２０】
目地溝４は断面形状が略逆台形をなしており、開口幅が３ｍｍ、底幅が２ｍｍの形状としてある。
【００２１】
エッジ溝５は全体として断面がＶ字状をなしているが、排出口側のエッジ端５ａは高く、これとは反対側のエッジ端５ｂは低くされ、この低い位置から単位面Ａ０ が伸びており、この高低差分によって床単位面Ａ０ の傾斜角ａ０ が床面Ａの傾斜角ａより大きい理由である。
【００２２】
単位面Ａ０ 上の水は比較的急勾配をなす当該面からエッジ溝５に向かって流下しやすくなり、しかも排水口側のエッジ端５ａが高いことから、水が残り少なくなった場合には隣の単位面に乗り上げて流下することがなくなり、排出口側のエッジ端５ａに遮られてエッジ溝５内を流れるものとなる。
【００２３】
図４はエッジ溝５の他の例を示す拡大図である。この例では、排出口側は略Ｖ字状の底部より湾曲をなして背丈のエッジ端５ａとなした例であり、これとは反対側のエッジ端５ｂはこの湾曲部位がなく、直接単位面Ａ０ を構成する構造となっている。
【００２４】
図５はエッジ溝５の更に他の例を示す拡大図である。この例では、排出口側はエッジ端５ａまでほぼ底部より直線状の傾斜面をなし、反対側のエッジ端５ｂのエッジ溝５の底部より直接単位面Ａ０ となっている例である。勿論、図４にて示す排出口側のエッジ端形状との組み合わせも含まれることは当然である。
【００２５】
床面Ａの傾斜角ａを形成したのは排出口３に向かって目地溝４内に集められた排水が自然に流れるようにするためであり、エッジ溝５からもたらされる排水が連続して途切れない程度に緩やかな傾斜となっている。一方、単位面Ａ０ の傾斜はこの面Ａ０ に残る排水がエッジ溝５に流れ落ちるようにしたものである。
【００２６】
床面Ｂも同様の目地溝４及びエッジ溝５が形成されるものであり、ここでは図示しないが、床面Ｂの下り勾配（傾斜角ｂ）は１．９２度であり、床単位面Ｂ０ の勾配（傾斜角ｂ０ ）は２．３度である。かかる床面Ｂ側の排水の挙動も全く同様であり、ここでは説明を省略する。
【００２７】
このように、各面に所定の勾配（傾斜角）を付けたことによって、各単位面Ａ０ 、Ｂ０ 、言い換えれば床面Ａ、Ｂ全体として水の残りが極めて少なくなり、乾燥性がもたらされることになる。
【００２８】
このエッジ溝５は基本的に他の溝との交差部はなく、最小限の目地溝との交差部が存在するだけである。しかも一方側（排出口とは反対側）がエッジ端５ｂが低かったり、エッジ端がなかったりするものであり、このため、スポンジ等の洗具にてこのエッジ溝５に添って軽く拭き取るだけで汚れも落ちることとなり清掃しやすくなったものである。
【００２９】
勿論、このエッジ溝５の形状によっては、滑り易さを疎外する因子を構成することが可能となったものであり、特に図５の例にあっては、排出口側のエッジ端５ａの存在により足を滑らせるという現象が少なくなったものである。
【産業上の利用可能性】
【００３０】
本発明の構成は以上の通りであって、「滑りにくさ」、「清掃性」、「乾燥性」を機能として要する場合に基本的に適用可能であり、簀の子、段差をなくすための傾斜床等に広く利用可能である。
【図面の簡単な説明】
【００３１】
【図１】図１は本発明の浴室床パネルの平面図である。
【図２】図２は図１におけるＡ−Ａ線拡大断面図である。
【図３】図３は図１におけるＢ−Ｂ線拡大断面図である。
【図４】図４はエッジ溝５の他の例を示す拡大図である。
【図５】図５はエッジ溝５の更に他の例を示す拡大図である。
【符号の説明】
【００３２】
１‥‥浴室床パネル、
２‥‥浴槽、
３‥‥排出口、
４‥‥目地溝、
５‥‥エッジ溝、
５ａ‥排出口側のエッジ端、
５ｂ‥排出口と反対側のエッジ端、
Ａ‥‥脱衣場から浴室内へ踏み込む第一歩の床面、
Ａ０ ‥Ａ面におけるエッジ溝間の平面（単位面）、
ａ‥‥床面Ａの傾斜角、
ａ０ ‥平面Ａ０ の傾斜角、
ｂ‥‥床面Ｂの傾斜角、
ｂ０ ‥平面Ｂ０ の傾斜角。
【図１】
2006336423.tif 000003
【図２】
2006336423.tif 000004
【図３】
2006336423.tif 000005
【図４】
2006336423.tif 000006
【図５】
2006336423.tif 000007